(57)【要約】【目的】変倍比が４倍程度であって、変倍時に発生する像面湾曲が十分に補正され、Ｆナンバーが比較的小さく、周辺光束の射出角も小さく、コンパクトで光学性能が良好な望遠ズームレンズを提供する。【構成】物体側より順に正の屈折力を有する第１レンズ群Ｇ１、負の屈折力を有する第２レンズ群Ｇ２、正の屈折力を有する第３レンズ群Ｇ３、正の屈折力を有する第４レンズ群Ｇ４から成り、変倍比が４倍程度で、広角端から望遠端への変倍に際して、第１レンズ群Ｇ１、第３レンズ群Ｇ３、第４レンズ群Ｇ４を光軸上の物体側に向かって移動させ、一定の条件を満足させる。【選択図】図１
2005315914.tif 000002
【特許請求の範囲】
【請求項１】
物体側より順に正の屈折力を有する第１レンズ群、負の屈折力を有する第２レンズ群、正の屈折力を有する第３レンズ群、正の屈折力を有する第４レンズ群から成り、変倍比が４倍程度で、広角端から望遠端への変倍に際して、第１レンズ群、第３レンズ群、第４レンズ群が光軸上を物体側に向かって移動し、以下の条件を満足することを特徴とする望遠ズームレンズ。
（１）０．６５≦ｆ１／ｆＴ≦０．９０
（２）０．０≦｜（ｉｈ−ｈＧ４）／Ｂｆ｜≦０．２３    
但し、ｆ１：第１レンズ群の焦点距離
ｆＴ：望遠端におけるレンズ全系の焦点距離
ｉｈ：レンズ全系の結像面の最大像高
ｈＧ４：任意の変倍時における第４レンズ群の像面側の最大主光線高
Ｂｆ：任意の変倍時における第４レンズ群の像面側の面と像面の距離
【請求項２】
第４レンズ群は、物体側より順に正の屈折力を有する第１レンズユニットＬ４１、負の屈折力を有する第２レンズユニットＬ４２、正の屈折力を有する第３レンズユニットＬ４３で構成されることを特徴とする請求項１記載の望遠ズームレンズ。
【発明の詳細な説明】
【技術分野】
【０００１】
本発明は、スチルカメラ、デジタルスチルカメラ等に用いられる望遠ズームレンズに関するものである。
【背景技術】
【０００２】
変倍比が４倍程度の望遠ズームレンズとしては、例えば特開平７−６３９９３号公報、特開平１０−１４８７５８号公報、特開２００１−１８８１６９号公報、特開２００４−２９７６５号公報等が知られている。
【特許文献１】特開平７−６３９９３号公報
【特許文献２】特開平１０−１４８７５８号公報
【特許文献３】特開２００１−１８８１６９号公報
【特許文献４】特開２００４−２９７６５号公報
【発明の開示】
【発明が解決しようとする課題】
【０００３】
上記特許文献のうち、特開平７−６３９９３号公報、特開２００１−１８８１６９号公報、特開２００４−２９７６５号公報は、物体側より順に正の屈折力の第１レンズ群、負の屈折力の第２レンズ群、正の屈折力の第３レンズ群の３群ズームレンズタイプであり群数が少なく機構的には複雑とならないが、変倍による像面湾曲が大きくなり、補正できないという問題点があった。
【０００４】
また、特開平１０−１４８７５８号公報は、物体側より順に正の屈折力の第１レンズ群、負の屈折力の第２レンズ群、正の屈折力の第３レンズ群、正の屈折力の第４レンズ群の４群ズームレンズタイプであり像面湾曲は補正することはできるが、望遠端のＦナンバーが大きいという問題があった。
【０００５】
近年はバックフォーカスが長い一眼レフカメラにおいても、撮像素子にＣＣＤ、ＣＭＯＳを用いたデジタルスチルカメラが主流となり、撮像素子への光線入射角が大きすぎることによるシェーディングの問題から、周辺光束の射出角が小さくなる光学系が求められている。
【０００６】
本発明は、変倍比が４倍程度であって、変倍時に発生する像面湾曲が十分に補正され、Ｆナンバーが比較的小さく、周辺光束の射出角も小さく、コンパクトで光学性能が良好な望遠ズームレンズを提供することを目的とする。
【課題を解決するための手段】
【０００７】
本発明は、物体側より順に正の屈折力を有する第１レンズ群、負の屈折力を有する第２レンズ群、正の屈折力を有する第３レンズ群、正の屈折力を有する第４レンズ群から成り、変倍比が４倍程度で、広角端から望遠端への変倍に際して、第１レンズ群、第３レンズ群、第４レンズ群が光軸上を物体側に向かって移動し、以下の条件を満足させた。
（１）０．６５≦ｆ１／ｆＴ≦０．９０
（２）０．０≦｜（ｉｈ−ｈＧ４）／Ｂｆ｜≦０．２３
但し、ｆ１：第１レンズ群の焦点距離
ｆＴ：望遠端におけるレンズ全系の焦点距離
ｉｈ：レンズ全系の結像面の最大像高
ｈＧ４：任意の変倍時における第４レンズ群の像面側の最大主光線高
Ｂｆ：任意の変倍時における第４レンズ群の像面側の面と像面の距離
【発明の効果】
【０００８】
本発明によれば、正の屈折力を有する第１レンズ群、負の屈折力を有する第２レンズ群、正の屈折力を有する第３レンズ群、正の屈折力を有する第４レンズ群から成るレンズ構成によって、広角端から望遠端への変倍時に発生する像面湾曲を補正でき、条件式を満足させることで、Ｆナンバーが比較的小さくかつ、周辺光束の射出角が小さくコンパクトで光学性能が良好な、変倍比が４倍程度の望遠ズームレンズを達成することができる。
【発明を実施するための最良の形態】
【０００９】
条件式（１）は、第１レンズ群Ｇ１の焦点距離と、広角端における全系の焦点距離の比率を規定するものである。条件式（１）の上限値を越えると、第１レンズ群Ｇ１の焦点距離が大きくなりすぎて収差補正には有利であるが、レンズ全系のコンパクト化をすることができない。条件式（１）の下限値を越えると、全系のコンパクト化には有利であるが、十分な収差補正が困難となり、光学性能を良好にすることができない。
【００１０】
条件式（２）は、第４レンズ群Ｇ４の像面側の最大主光線高と射出角を規定するものである。条件式（２）の範囲を越えると第４レンズ群Ｇ４の像面側の最大主光線の射出角が大きくなり、デジタルスチルカメラに用いられる撮像素子へ到達する光線の入射角が問題となる。
【００１１】
また、第４レンズ群Ｇ４は、物体側より順に正の屈折力を有する第４レンズ群第１レンズユニットＬ４１、負の屈折力を有する第４レンズ群第２レンズユニットＬ４２、正の屈折力を有する第４レンズ群第３レンズユニットＬ４３で構成することで、歪曲収差を良好に補正し、第４レンズ群Ｇ４内の敏感度も小さくすることができる。
【００１２】
以下に、本発明の望遠ズームレンズの数値実施例１を示す。ここで［全体諸元］中、ｆは焦点距離、ＦｎｏはＦナンバー、２ωは画角を示す。［レンズ諸元］中、番号は物体側から順にレンズの面番号、ｒはレンズ面の曲率半径、ｄはレンズ面間隔、ｎはｄ線の屈折率、νはアッベ数を示す。また、Ｂｆはバックフォーカス、Ｏｂｊは被写体からレンズ第１面までの距離を示す。図中の収差図はｄ線の波長に対する収差であり、ΔＳはサジタル、ΔＭはメリジオナルである。
【実施例１】
【００１３】
［全体諸元］
ｆ＝４０．７〜１４７．１４ｍｍ
Ｆｎｏ＝３．５３〜４．３４
２ω＝３１．２°〜８．６°
［レンズ諸元］
番号           ｒ              ｄ              ｎ                ν
［１］      ７４．６５４２    ５．５０７７    １．４８７４９    ７０．４
［２］        ０．００００    ０．２８０２
［３］      ６７．１５０３    ２．０９６７    １．８０６１０    ３３．３
［４］      ４０．０５４６    ６．７３６１    １．４８７４９    ７０．４
［５］    ２６６．９０１２      ｄ５
［６］      ５８．４４８２    １．００００    １．５３１７２    ４８．９
［７］      １７．９５５３    ６．４３４４
［８］    −４４．２０１９    １．００００    １．４８７４９    ７０．４
［９］      ２１．８３３１    ３．３９１２    １．８０５１８    ２５．５
［１０］  ２３１．２０７２    １．４５２８
［１１］  −３２．５６７１    １．００００    １．８０６１０    ３３．３
［１２］−１１１．９７７０      ｄ１２  
［１３］    絞り              １．４８３２
［１４］  ２０６．４５７０    ２．２５４３    １．７８５９０    ４３．９
［１５］  ‐８０．９７７５    ０．１５００
［１６］    ４０．３７１２    ４．１０４０    １．４８７４９    ７０．４
［１７］  −４１．５０６２    １．００００    １．８０５１８    ２５．５
［１８］−２９６．５６２５      ｄ１８
［１９］    ３１．８９３９    ３．８９６９    １．５８９１３    ６１．２
［２０］  −８２．８６７７    １．００００    １．５３１７２    ４８．９
［２１］    ８７．２１１７    ８．４０７５
［２２］  １２７．８９４１    １．００００    １．７７２５０    ４９．６
［２３］    ２３．５２２３    １．３６８５
［２４］  １５９．３２９９    ２．０６１０    １．６９６８０    ５５．５
［２５］  −７３．３１８３  ２０．２４１４
［２６］    ３６．２８２１    ２．４９４６    １．４８７４９    ７０．４
［２７］  １０３．８５６７
【００１４】
［無限遠撮影時の変倍における可変間隔］
ｆ          ４０．７０          ７９．９２        １４７．１４
ｄ５          ４．４１１３      ２７．６１５２      ４２．７９９３
ｄ１２      ２７．４２３６      １４．０５７２        １．９４６５
ｄ１８        ２．１８８７        １．５０００        ４．９４３７
Ｂｆ        ３２．６２          ４３．９２          ５３．３６
【００１５】
［有限物体距離撮影時の変倍における可変間隔］
ｆ          ４０．７０          ７９．９２        １４７．１４
Ｏｂｊ  １３４４．９６３２  １３２４．３４０６  １３０８．２４３３
ｄ５        １４．４４８１      ３７．８２２８      ５３．１４４３
ｄ１２      ２７．４２３６      １４．０５７２        １．９４６５
ｄ１８        ２．１８８７        １．５０００        ４．９４３７
Ｂｆ        ３２．６２          ４３．９２          ５３．３６
【００１６】
［条件値］
（１）ｆ１／ｆＴ＝０．７５５９
（２）｜（ｉｈ−ｈＧ４）／Ｂｆ｜＝０．１１（ｆ＝４０．７０ｍｍの場合）
｜（ｉｈ−ｈＧ４）／Ｂｆ｜＝０．１０（ｆ＝７９．９２ｍｍの場合）
｜（ｉｈ−ｈＧ４）／Ｂｆ｜＝０．０９（ｆ＝１４７．１４ｍｍの場合）
【図面の簡単な説明】
【００１７】
【図１】数値実施例１のレンズ断面図である。
【図２】数値実施例１の無限遠撮影時の広角端の諸収差である。
【図３】数値実施例１の無限遠撮影時の中間焦点距離の諸収差図である。
【図４】数値実施例１の無限遠撮影時の望遠端の諸収差図である。
【図５】数値実施例１の有限物体距離撮影時の広角端の諸収差である。
【図６】数値実施例１の有限物体距離撮影時の中間焦点距離の諸収差図である。
【図７】数値実施例１の有限物体距離撮影時の望遠端の諸収差図である。
【符号の説明】
【００１８】
Ｇ１    第１レンズ群
Ｇ２    第２レンズ群
Ｇ３    第３レンズ群
Ｇ４    第４レンズ群
Ｌ４１  第４レンズ群第１レンズユニット
Ｌ４２  第４レンズ群第２レンズユニット
Ｌ４３  第４レンズ群第３レンズユニット
【図１】
2005315914.tif 000003
【図２】
2005315914.tif 000004
【図３】
2005315914.tif 000005
【図４】
2005315914.tif 000006
【図５】
2005315914.tif 000007
【図６】
2005315914.tif 000008
【図７】
2005315914.tif 000009